(57)【要約】【課題】ブザー音による防犯効果が得られるとともに、防犯管理センター側では画像及び／又は音声から非常事態を的確に判断することができ、さらにその画像及び／又は音声から警察への情報提供を被害者に加え犯人に関わるものとすることができるようにする。【解決手段】カメラ１０６及びマイク１０８により、周囲の画像と周囲の音声とが取り込まれると、制御部により、取り込まれた画像及び／又は音声が防犯管理センターに送信されるように制御されるとともに、防犯スイッチ１０９によりブザー音を発生させる操作が行われると、制御部により、スピーカ１０７からブザー音が発生されるようにした。【選択図】図１
2007188156.tif 000002
【特許請求の範囲】
【請求項１】
防犯管理センターに被害を通知する防犯装置であって、
周囲の画像を取り込む画像取得手段と、
周囲の音声を取り込む音声取得手段と、
少なくともブザー音を発生する音発生手段と、
前記ブザー音を発生させる際に操作される操作手段と、
前記画像取得手段及び／又は前記音声取得手段によって取得される画像及び／又は音声が前記防犯管理センターに送信されるように制御し、前記操作手段による操作に応じて前記音発生手段からブザー音を発生させるように制御する制御手段とを備える
ことを特徴とする防犯装置。
【請求項２】
衛星からのＧＰＳ信号を受け取るＧＰＳ信号受信手段を備え、
前記制御手段は、前記防犯管理センターに送信される前記画像及び／又は音声に、前記ＧＰＳ信号受信手段によって得られる現在位置の情報を付加するように制御する
ことを特徴とする請求項１に記載の防犯装置。
【請求項３】
装置ＩＤを記憶する記憶手段を備え、
前記制御手段は、前記防犯管理センターに送信される前記画像及び／又は音声に、前記記憶手段に記憶されている装置ＩＤを付加するように制御する
ことを特徴とする請求項１又は２に記載の防犯装置。
【請求項４】
駆動電源となるバッテリと、
装置本体の移動を検知する移動検知手段とを備え、
前記制御手段は、前記移動検知手段による検知結果に応じて前記バッテリからの電力供給を制御する
ことを特徴とする請求項１〜３のいずれかに記載の防犯装置。
【請求項５】
装置本体の向きを検知する向き検知手段を備え、
前記制御手段は、前記向き検知手段による検知結果が適切でない場合は前記音発生手段から警告音が発生されるように制御する
ことを特徴とする請求項１〜４のいずれかに記載の防犯装置。
【請求項６】
前記制御手段は、前記防犯管理センター側からの停止信号を受け取ると、前記音発生手段からのブザー音の発生を停止させるように制御することを特徴とする請求項１〜５のいずれかに記載の防犯装置。
【請求項７】
前記制御手段は、前記防犯管理センター側からの音声信号を受け取ると、前記音発生手段から音声が発せられるように制御することを特徴とする請求項１〜６のいずれかに記載の防犯装置。
【請求項８】
前記制御手段は、前記操作手段が操作されると、その操作が有ったことを示す信号が前記防犯管理センターに送信されるように制御することを特徴とする請求項１〜７のいずれかに記載の防犯装置。
【請求項９】
防犯管理センターに被害を通知する防犯方法であって、
周囲の画像を取り込むステップと、
周囲の音声を取り込むステップと、
少なくともブザー音を発生するステップと、
前記ブザー音を発生させる際の操作を受け付けるステップと、
取り込まれた前記画像及び／又は音声が前記防犯管理センターに送信されるように制御し、前記操作に応じて前記ブザー音を発生させるように制御するステップとを有する
ことを特徴とする防犯方法。
【請求項１０】
衛星からのＧＰＳ信号を受け取るステップと、
前記防犯管理センターに送信される前記画像及び／又は音声に、前記ＧＰＳ信号によって得られる現在位置の情報を付加するように制御するステップとを有する
ことを特徴とする請求項９に記載の防犯方法。
【請求項１１】
装置ＩＤを記憶するステップと、
前記防犯管理センターに送信される前記画像及び／又は音声に、前記記憶されている装置ＩＤを付加するように制御するステップとを有する
ことを特徴とする請求項９又は１０に記載の防犯方法。
【請求項１２】
装置本体の移動を検知するステップと、
検知結果に応じてバッテリからの電力供給を制御するステップとを有する
ことを特徴とする請求項９〜１１のいずれかに記載の防犯方法。
【請求項１３】
装置本体の向きを検知するステップと、
検知結果が適切でない場合は警告音が発生されるように制御するステップとを有する
ことを特徴とする請求項９〜１２のいずれかに記載の防犯方法。
【請求項１４】
前記防犯管理センター側からの停止信号を受け取ると、前記ブザー音の発生を停止させるように制御するステップを有することを特徴とする請求項９〜１３のいずれかに記載の防犯方法。
【請求項１５】
前記防犯管理センター側からの音声信号を受け取ると、音声が発せられるように制御するステップを有することを特徴とする請求項９〜１４のいずれかに記載の防犯方法。
【請求項１６】
前記ブザー音を発生させる際の操作が有ると、その操作が有ったことを示す信号が前記防犯管理センターに送信されるように制御するステップを有することを特徴とする請求項９〜１５のいずれかに記載の防犯方法。
【請求項１７】
防犯管理センターに被害を通知する防犯方法を実行するためのステップを示す防犯プログラムであって、
周囲の画像を取り込むステップと、
周囲の音声を取り込むステップと、
少なくともブザー音を発生するステップと、
前記ブザー音を発生させる際の操作を受け付けるステップと、
取り込まれた前記画像及び／又は音声が前記防犯管理センターに送信されるように制御し、前記操作に応じて前記ブザー音を発生させるように制御するステップとを有する
ことを特徴とする防犯プログラム。
【請求項１８】
衛星からのＧＰＳ信号を受け取るステップと、
前記防犯管理センターに送信される前記画像及び／又は音声に、前記ＧＰＳ信号によって得られる現在位置の情報を付加するように制御するステップとを有する
ことを特徴とする請求項１７に記載の防犯プログラム。
【請求項１９】
装置ＩＤを記憶するステップと、
前記防犯管理センターに送信される前記画像及び／又は音声に、前記記憶されている装置ＩＤを付加するように制御するステップとを有する
ことを特徴とする請求項１７又は１８に記載の防犯プログラム。
【請求項２０】
装置本体の移動を検知するステップと、
検知結果に応じてバッテリからの電力供給を制御するステップとを有する
ことを特徴とする請求項１７〜１９のいずれかに記載の防犯プログラム。
【請求項２１】
装置本体の向きを検知するステップと、
検知結果が適切でない場合は警告音が発生されるように制御するステップとを有する
ことを特徴とする請求項１７〜２０のいずれかに記載の防犯プログラム。
【請求項２２】
前記防犯管理センター側からの停止信号を受け取ると、前記ブザー音の発生を停止させるように制御するステップを有することを特徴とする請求項１７〜２１のいずれかに記載の防犯プログラム。
【請求項２３】
前記防犯管理センター側からの音声信号を受け取ると、音声が発せられるように制御するステップを有することを特徴とする請求項１７〜２２のいずれかに記載の防犯プログラム。
【請求項２４】
前記ブザー音を発生させる際の操作が有ると、その操作が有ったことを示す信号が前記防犯管理センターに送信されるように制御するステップを有することを特徴とする請求項１７〜２３のいずれかに記載の防犯プログラム。
【発明の詳細な説明】
【技術分野】
【０００１】
本発明は、防犯に適した防犯装置、防犯方法及び防犯プログラムに関する。
【背景技術】
【０００２】
近年、子供や女性、社会要人をターゲットにした誘拐や暴行などといった犯罪が増加傾向にあり、社会問題となっている。誘拐の場合は、営利目的の小児誘拐が飛躍的に増加していたが、最近では異常者による犯罪が目立つようになっている。
【０００３】
このような、誘拐や暴行などの非常事態に遭遇した際の対応策としては、大きな音を発して犯人に対し威嚇する防犯ブザーを用いたり、携帯電話端末やＰＨＳ（Ｐｅｒｓｏｎａｌ  ＨａｎｄｙＰｈｏｎｅ  Ｓｙｓｔｅｍ）端末を用いて知人や家族に連絡をとるなどといったことが行われている。
【０００４】
ところが、携帯電話端末やＰＨＳ端末を用いて連絡・通報する場合は、発信先の電話番号をダイヤルするために複数のボタン操作を行う必要があるが、複数のボタン操作を行う時間的な余裕がなかったり、操作できる状況になかったりする場合がある。
【０００５】
特に、子供の場合は、緊急時にパニックにおちいり、複雑なボタン操作を行うことは極めて困難になるものと予測される。また、防犯ブザーを用いる場合には、犯人が発した音に逆上して却って危ない目にあったり、防犯ブザーを犯人に取り上げられたりすることがあり、大きな音を発しても周囲に誰もいなければ助けを求めることができないことも容易に予測される。
【０００６】
よって、効果的な防犯を行うためには、被害者が非常事態に遭遇していることを、犯人に悟られることなく、即座に第三者へ知らせるとともに、非常事態に遭遇している自分の所在地を探知してもらうようなことが重要となってくる。
【０００７】
ここで、自分の所在地を探知してもらうシステムとしては、たとえば、常時電波を発信する端末装置をシステムの利用者に持たせておき、ＧＰＳ（ＧｌｏｂａｌＰｏｓｉｔｉｏｎｉｎｇ  Ｓｙｓｔｅｍ）及び携帯電話のネットワークを利用して、その利用者の現在の居場所を検知するものがある。
【０００８】
端末装置を所有している利用者の居場所は、常に管理センターにて監視されており、利用者の保護者や関係者が望むときには、いつでも、電話やインターネットを利用して管理センターに問い合わせることで、利用者の居場所を知ることが可能となっている。しかし、このシステムは、単に端末装置を所有している利用者の居場所を確認するのみに留まっているものであるので、利用者が安全な状態にあるのか、又は非常事態に遭遇して危険な目に会っているのかの判断がつかなかった。
【０００９】
すなわち、確認した利用者の居場所が保護者などの家の近くであったからと安心していたら、実は利用者が非常事態に遭遇していたということも考えられ、さらに、犯人が利用者を連れ去る際に端末装置を家の近くに捨てていってしまえば、このシステムは役に立たなくなってしまう。また、利用者が非常事態に遭遇していそうな感じがしても、当該システムでは居場所の確認までしかできないので、警察への出動依頼をためらってしまうことがある。
【００１０】
また、自分の所在地を探知してもらうシステムとしては、スキーや登山などといった、遭難などの非常事態に遭遇する可能性がある場合に、電波を発する発信器を衣服に埋め込んでおき、予め届け出た日時を過ぎても戻ってこないなど、いざというときにＧＰＳを利用して発信器の位置を探索するものもある。しかし、このシステムは、予め届け出た日時が過ぎてから探索を開始するので、非常事態が発生してから探索を開始するまでに時間を要してしまう。
【００１１】
また、自分の所在地を探知してもらうシステムとして、警察や探偵などが用いる業務用に開発された高精度の発信機及び探索装置や、カーナビゲーションのような衛星を利用したＧＰＳを用いるものがあるが、これらは一般向けの機器ではなく、設備も大掛かりとなるため高額であり、携帯するにも適していない。
【００１２】
このような不具合を解消するようにしたものとして、特許文献１では、利用者が、必要時に自己の所有する発信器に対して所定の操作をすると、その発信器が、固有の識別データを含む非常信号をセンターへ発信し、非常信号を受信したセンターは、非常信号に含まれる識別データに基づいて発信器の所在地を探知するとともに、利用者の保護者・関係者に対して、利用者の発信器から非常信号が発信された旨を送信するようにしたセキュリティシステムを提案している。
【特許文献１】特開２００３−１１５０９０号公報
【発明の開示】
【発明が解決しようとする課題】
【００１３】
このように、上述した特許文献１では、発信器からの固有の識別データを含む非常信号をセンターへ発信し、非常信号を受信したセンターは、非常信号に含まれる識別データに基づいて発信器の所在地を探知するとともに、利用者の保護者・関係者に対して、利用者の発信器から非常信号が発信された旨を送信するようにしているので、自分の非常事態を即座に第三者へ知らせると同時に、その位置情報も探知可能となる。
【００１４】
ところが、このような技術では、発信器からの固有の識別データを含む非常信号を受信することで、非常事態を把握するものであるため、発信器を誤って操作してしまい、非常信号がセンターに送信されてしまうと、非常事態でないにも関わらず非常事態であると判断されてしまうという問題があった。
【００１５】
また、このような技術では、非常信号に基づき、非常事態を把握するものであるため、センター側では犯人に関わる音声あるいはビデオ画像等の情報を取得することができず、警察への情報提供が被害者に関わるものに限定されてしまうという問題があった。
【００１６】
本発明は、このような状況に鑑みてなされたものであり、上記問題点を解決することができる防犯装置、防犯方法及び防犯プログラムを提供することを目的とする。
【課題を解決するための手段】
【００１７】
本発明の防犯装置は、防犯管理センターに被害を通知する防犯装置であって、周囲の画像を取り込む画像取得手段と、周囲の音声を取り込む音声取得手段と、少なくともブザー音を発生する音発生手段と、前記ブザー音を発生させる際に操作される操作手段と、前記画像取得手段及び／又は前記音声取得手段によって取得される画像及び／又は音声が前記防犯管理センターに送信されるように制御し、前記操作手段による操作に応じて前記音発生手段からブザー音を発生させるように制御する制御手段とを備えることを特徴とする。
また、衛星からのＧＰＳ信号を受け取るＧＰＳ信号受信手段を備え、前記制御手段は、前記防犯管理センターに送信される前記画像及び／又は音声に、前記ＧＰＳ信号受信手段によって得られる現在位置の情報を付加するように制御するようにすることができる。
また、装置ＩＤを記憶する記憶手段を備え、前記制御手段は、前記防犯管理センターに送信される前記画像及び／又は音声に、前記記憶手段に記憶されている装置ＩＤを付加するように制御するようにすることができる。
また、駆動電源となるバッテリと、装置本体の移動を検知する移動検知手段とを備え、前記制御手段は、前記移動検知手段による検知結果に応じて前記バッテリからの電力供給を制御するようにすることができる。
また、装置本体の向きを検知する向き検知手段を備え、前記制御手段は、前記向き検知手段による検知結果が適切でない場合は前記音発生手段から警告音が発生されるように制御するようにすることができる。
また、前記制御手段は、前記防犯管理センター側からの停止信号を受け取ると、前記音発生手段からのブザー音の発生を停止させるように制御するようにすることができる。
また、前記制御手段は、前記防犯管理センター側からの音声信号を受け取ると、前記音発生手段から音声が発せられるように制御するようにすることができる。
また、前記制御手段は、前記操作手段が操作されると、その操作が有ったことを示す信号が前記防犯管理センターに送信されるように制御するようにすることができる。
本発明の防犯方法は、防犯管理センターに被害を通知する防犯方法であって、周囲の画像を取り込むステップと、周囲の音声を取り込むステップと、少なくともブザー音を発生するステップと、前記ブザー音を発生させる際の操作を受け付けるステップと、取り込まれた前記画像及び／又は音声が前記防犯管理センターに送信されるように制御し、前記操作に応じて前記ブザー音を発生させるように制御するステップとを有するようにすることができる。
また、衛星からのＧＰＳ信号を受け取るステップと、前記防犯管理センターに送信される前記画像及び／又は音声に、前記ＧＰＳ信号によって得られる現在位置の情報を付加するように制御するステップとを有するようにすることができる。
また、装置ＩＤを記憶するステップと、前記防犯管理センターに送信される前記画像及び／又は音声に、前記記憶されている装置ＩＤを付加するように制御するステップとを有するようにすることができる。
また、装置本体の移動を検知するステップと、検知結果に応じてバッテリからの電力供給を制御するステップとを有するようにすることができる。
また、装置本体の向きを検知するステップと、検知結果が適切でない場合は警告音が発生されるように制御するステップとを有するようにすることができる。
また、前記防犯管理センター側からの停止信号を受け取ると、前記ブザー音の発生を停止させるように制御するようにすることができる。
また、前記防犯管理センター側からの音声信号を受け取ると、音声が発せられるように制御するステップを有するようにすることができる。
また、前記ブザー音を発生させる際の操作が有ると、その操作が有ったことを示す信号が前記防犯管理センターに送信されるように制御するステップを有するようにすることができる。
本発明の防犯プログラムは、防犯管理センターに被害を通知する防犯方法を実行するためのステップを示す防犯プログラムであって、周囲の画像を取り込むステップと、周囲の音声を取り込むステップと、少なくともブザー音を発生するステップと、前記ブザー音を発生させる際の操作を受け付けるステップと、取り込まれた前記画像及び／又は音声が前記防犯管理センターに送信されるように制御し、前記操作に応じて前記ブザー音を発生させるように制御するステップとを有することを特徴とする。
また、衛星からのＧＰＳ信号を受け取るステップと、前記防犯管理センターに送信される前記画像及び／又は音声に、前記ＧＰＳ信号によって得られる現在位置の情報を付加するように制御するステップとを有するようにすることができる。
また、装置ＩＤを記憶するステップと、前記防犯管理センターに送信される前記画像及び／又は音声に、前記記憶されている装置ＩＤを付加するように制御するステップとを有するようにすることができる。
また、装置本体の移動を検知するステップと、検知結果に応じてバッテリからの電力供給を制御するステップとを有するようにすることができる。
また、装置本体の向きを検知するステップと、検知結果が適切でない場合は警告音が発生されるように制御するステップとを有するようにすることができる。
また、前記防犯管理センター側からの停止信号を受け取ると、前記ブザー音の発生を停止させるように制御するステップを有するようにすることができる。
また、前記防犯管理センター側からの音声信号を受け取ると、音声が発せられるように制御するステップを有するようにすることができる。
また、前記ブザー音を発生させる際の操作が有ると、その操作が有ったことを示す信号が前記防犯管理センターに送信されるように制御するステップを有するようにすることができる。
本発明の防犯装置、防犯方法及び防犯プログラムでは、周囲の画像と周囲の音声とが取り込まれ、取り込まれた画像及び／又は音声が防犯管理センターに送信されるように制御されるとともに、ブザー音を発生させる際の操作を受け付けると、その操作に応じてブザー音が発生される。
【発明の効果】
【００１８】
本発明の防犯装置、防犯方法及び防犯プログラムによれば、周囲の画像と周囲の音声とが取り込まれ、取り込まれた画像及び／又は音声が防犯管理センターに送信されるように制御されるとともに、ブザー音を発生させる際の操作を受け付けると、その操作に応じてブザー音が発生されるので、ブザー音による防犯効果が得られるとともに、防犯管理センター側では画像及び／又は音声から非常事態を的確に判断することができ、さらにその画像及び／又は音声から警察への情報提供を被害者に加え犯人に関わるものとすることができる。
【発明を実施するための最良の形態】
【００１９】
本実施形態では、画像取得手段及び音声取得手段により、周囲の画像と周囲の音声とが取り込まれると、制御手段により、取り込まれた画像及び／又は音声が防犯管理センターに送信されるように制御されるとともに、操作手段によりブザー音を発生させる操作が行われると、制御手段により、音発生手段からブザー音が発生されることで、ブザー音による防犯効果が得られるようにし、さらに防犯管理センター側では画像及び／又は音声から非常事態を的確に判断することができ、さらにその画像及び／又は音声から警察への情報提供を被害者に加え犯人に関わるものとすることができるようにした。
【実施例】
【００２０】
以下、本発明の実施例の詳細について説明する。図１は、本発明の防犯装置の一実施例に係る概要を説明するための図である。
【００２１】
図１に示す防犯装置１００は、携帯用であり、たとえば装置本体１０１の頂部に紐１０２を係止する係止具１０３が設けられている。紐１０２は、たとえば首にかけられる程度の長さであればよい。また、紐１０２は、長さが調節できるようになっていてもよい。なお、防犯装置１００は、紐１０２をたとえば首にかけるようにずる場合に限らず、たとえば子供の服やランドセル等に取り付けられるようにしてもよい。
【００２２】
係止具１０３の近傍には、送受信アンテナ１０４が設けられている。送受信アンテナ１０４は、伸縮自在のものであってもよいし、伸縮しないものであってもよい。また、送受信アンテナ１０４は、内蔵型であってもよい。なお、この送受信アンテナ１０４により、たとえば携帯電話の通信キャリアを介し、図示しない防犯管理センターとの間で音声及び画像（動画又は静止画）の信号がやり取りされるようになっている。
【００２３】
装置本体１０１の表面側には、ＧＰＳアンテナ１０５、カメラ１０６、スピーカ１０７、マイク１０８が設けられている。ＧＰＳアンテナ１０５は、衛星からのＧＰＳ信号を受け取る。カメラ１０６は、たとえば広角レンズを有し、周囲の画像を取り込む。スピーカ１０７は、後述の防犯スイッチ１０９が操作されると、大音量のブザー音を発する。また、スピーカ１０７により、図示しない防犯管理センターからの音声が発せられるようになっている。
【００２４】
また、装置本体１０１のたとえば右側面には、防犯スイッチ１０９が設けられている。この防犯スイッチ１０９を押すことで、スピーカ１０７から大音量のブザー音が発せられるようになっている。
【００２５】
なお、防犯スイッチ１０９の代わりに、上述した係止具１０３が装置本体１０１に対し着脱自在に取り付けられるようにしておき、係止具１０３が装置本体１０１から外れた場合にスピーカ１０７から大音量のブザー音が発せられるようにしておくようにすることもできる。
【００２６】
図２は、防犯装置１００の制御系の詳細を説明するためのブロック図である。同図に示すように、制御系１２０は、送受信部１２１、ＧＰＳ受信部１２２、カメラ駆動部１２３、スピーカ駆動部１２４、マイク駆動部１２５、移動判別部１２６、向き判別部１２７、スイッチオン検知部１２８、メモリ１２９、バッテリ１３０、画像処理部１３１、音声処理部１３２、制御部１３３を有している。
【００２７】
送受信部１２１は、送受信アンテナ１０４を介し、上述したように、たとえば携帯電話の通信キャリアを通して図示しない防犯管理センターとの間で音声及び画像（静止画又は動画）の信号のやり取りを行うものである。
【００２８】
ＧＰＳ受信部１２２は、ＧＰＳアンテナ１０５を介して衛星からのＧＰＳ信号を受信する。ここで、ＧＰＳ信号には、衛星からの位置情報を示す位置情報データが含まれており、そのデータから現在位置が判別されるようになっている。
【００２９】
カメラ駆動部１２３は、制御部１３３の制御により、カメラ１０６を駆動させる。スピーカ駆動部１２４は、制御部１３３の制御により、スピーカ１０７を駆動させる。マイク駆動部１２５は、制御部１３３の制御により、マイク１０８を駆動させる。
【００３０】
移動判別部１２６は、装置本体１０１に内蔵されている移動検知センサ１１０からの検知信号を基に、装置本体１０１の移動を判別する。なお、移動判別部１２６による装置本体１０１の移動の判別は、移動検知センサ１１０からの検知信号が所定時間以上継続したときとすることができる。
【００３１】
これは、防犯装置１００のバッテリ１３０の電力消費を有効に行わせるためであり、移動判別部１２６による判別結果に応じてバッテリ１３０からの電力を使用することで、バッテリ１３０の無駄な電力消費を抑えることができる。なお、移動検知センサ１１０としては、光学的な方式あるいは機械的な方式のいずれかを採用することができる。
【００３２】
向き判別部１２７は、装置本体１０１に内蔵されている向き検知センサ１１１からの検知信号に応じて装置本体１０１の向きである、特にカメラ１０６の向きを判別する。すなわち、装置本体１０１は、上述したように、たとえば紐１０２を介して首にぶら下げられるようになるため、移動中等にカメラ１０６の向きが体側に向けられてしまい、周囲の画像を撮影できなくなってしまうことがあり、これを判別するものである。
【００３３】
よって、向き判別部１２７によって装置本体１０１の向きが適切でないと判別されると、スピーカ１０７から警告音が発せられるようになっている。なお、向き検知センサ１１１としては、光学的な方式あるいは機械的な方式のいずれかを採用することができる。
【００３４】
スイッチオン検知部１２８は、防犯スイッチ１０９が操作されたことを検知するものである。スイッチオン検知部１２８により、防犯スイッチ１０９の操作が検知されると、スピーカ１０７から大音量のブザー音が発せられる。なお、上述したように、防犯スイッチ１０９の代わりに、係止具１０３が装置本体１０１に対し着脱自在に取り付けられている場合は、係止具１０３が装置本体１０１から外れたとき、スイッチオン検知部１２８により防犯操作が行われたことが検知され、同様に、スピーカ１０７から大音量のブザー音が発せられるようにすることもできる。
【００３５】
メモリ１２９には、少なくとも防犯装置１００の固有情報である装置ＩＤが記憶されている。この装置ＩＤは画像処理部１３１及び／又は音声処理部１３２によって処理された画像及び／又は音声の信号等が防犯管理センターに送信される際、その信号等に付加されるものである。これにより、防犯管理センター側では、装置ＩＤに対応させた防犯装置１００の使用者に関する情報を予め保持していることで、その信号等に含まれる装置ＩＤを基に、防犯装置１００を特定することが可能となる。
【００３６】
バッテリ１３０は、各部の動作に必要な電力を供給する電力源であり、充電可能なニッケル電池等で構成されているものである。画像処理部１３１は、カメラ駆動部１２３を介して得られるカメラ１０６からの画像を処理するものである。すなわち、たとえば防犯装置１００から防犯管理センターに送信される形式がパケット方式である場合は、パケットデータの様式に合うように処理される。
【００３７】
この場合、処理される画像は動画であってもよいし、静止画であってもよい。ただし静止画の場合は、周囲の状況変化が分かるように、数秒毎の間欠画像であることが好ましい。ちなみに、動画に比べて静止画の方が送信すべきデータ量が少なくされるため、画像処理部１３１による処理能力が低いものであってもよく、コスト低減を図れるばかりか、バッテリ１３０の電力消費が少なくされるという利点がある。
【００３８】
ただし、コスト面やバッテリ１３０の電力消費を考慮しなくてもよい場合は、画像処理部１３１によって処理される画像を動画とした方が周囲の状況をより的確に防犯管理センターに伝えることが可能となり、好ましい。
【００３９】
音声処理部１３２は、マイク駆動部１２５を介して得られるマイク１０８からの音声を処理するものである。すなわち、たとえば防犯装置１００から防犯管理センターに送信される形式がパケット方式である場合は、パケットデータの様式に合うように処理される。
【００４０】
制御部１３３は、各部の動作を所定の制御プログラムに基づいて制御するものである。主な制御としては、たとえば移動判別部１２６により、装置本体１０１が移動中でないと判別された場合、バッテリ１３０から各部への電力供給を制限することである。
【００４１】
すなわち、本装置は移動中に絶えず防犯管理センターへ画像及び／又は音声を送信するものであり、たとえば防犯装置１００が携帯されていないときでもバッテリ１３０から各部へ電力供給が行われてしまうと、バッテリ１３０の電力消費が早められ、必要なときに防犯管理センターへ画像及び／又は音声が送信されなくなってしまうことを防止するためである。
【００４２】
また、制御部１３３による制御としては、向き判別部１２７により、装置本体１０１の向きが適切でないと判別されると、スピーカ駆動部１２４を制御し、スピーカ１０７から警告音が発せられるように制御することである。これにより、防犯装置１００の利用者に対してカメラ１０６の向きを適切にするように促すことができる。
【００４３】
また、制御部１３３による制御としては、スイッチオン検知部１２８により、防犯スイッチ１０９が操作されたことが検知されると、スピーカ駆動部１２４を制御し、スピーカ１０７から大音量のブザー音が発せられるように制御することである。なお、上述したように、防犯スイッチ１０９の代わりに、係止具１０３が装置本体１０１に対し着脱自在に取り付けられている場合は、係止具１０３が装置本体１０１から外れたとき、同様に、スピーカ１０７から大音量のブザー音が発せられるように制御することも可能である。
【００４４】
また、制御部１３３による制御としては、スイッチオン検知部１２８により、防犯スイッチ１０９の操作が検知され、スピーカ駆動部１２４を制御してスピーカ１０７から大音量のブザー音が発せられるように制御するが、さらにそのブザー音は防犯管理センター側からの停止信号を受け取らない限り停止させないように制御することである。これにより、ブザー音が防犯装置１００側での操作により停止することができないため、犯罪者に対しての抑止効果が高められる。
【００４５】
また、制御部１３３による制御としては、送受信部１２１から送信される信号に、ＧＰＳ受信部１２２から得られる現在位置の情報とメモリ１２９に記憶されている装置ＩＤとを付加するように制御することである。これにより、送受信部１２１からは、防犯装置１００が移動中である場合に、絶えず、画像及び／又は音声と、現在位置の情報と、装置ＩＤとが防犯管理センターに送信されることになる。
【００４６】
また、制御部１３３による制御としては、スイッチオン検知部１２８により、防犯スイッチ１０９の操作が検知されると、防犯スイッチ１０９の操作が有ったことを示す信号を防犯管理センター側に送信することである。これにより、防犯管理センター側では、防犯装置１００の利用者側に被害が発生したことを即座に判断することができ、防犯装置１００からの画像及び／又は音声を記憶することができる。
【００４７】
なお、画像及び／又は音声の記憶に際しては、防犯スイッチ１０９の操作が有ったことを示す信号を受け取った時点から所定時間さかのぼった時間分であってもよいし、防犯スイッチ１０９の操作が有ったことを示す信号を受け取った時点を跨いた時間分であってもよい。
【００４８】
また、防犯管理センター側では、その画像及び／又は音声を確認することで、緊急であるかどうかの確認が行えるため、緊急の場合には警察に通報することができる。また、その画像及び／又は音声が防犯管理センター側で記憶されているため、後の証拠として提出することができる。
【００４９】
また、制御部１３３による制御としては、防犯管理センター側からの音声信号を基に、スピーカ駆動部１２４を制御し、スピーカ１０７から音声が発せられるように制御することである。これにより、防犯装置１００の利用者が被害に遭遇しているときに、防犯管理センター側からの音声により犯罪者に対して警告を促すことが可能となる。
【００５０】
次に、防犯装置１００による防犯方法について説明する。なお、以下の説明においては、カメラ１０６によって撮影された画像（動画又は静止画）と、マイク１０８からの音声とが同時に防犯管理センター側に送信されるものとする。
【００５１】
まず、図３に示すように、移動判別部１２６により、装置本体１０１が移動中であるか否かが判別され（ステップＳ１）、装置本体１０１が移動中でないと判別された場合、制御部１３３によりバッテリ１３０から各部への電力供給が制限される（ステップＳ２）。これにより、防犯装置１００が携帯されていないとき、バッテリ１３０の電力消費が抑えられる。
【００５２】
これに対し、移動判別部１２６により、装置本体１０１が移動中であると判別されると、制御部１３３によりバッテリ１３０から各部への電力供給が開始される（ステップＳ３）。次いで、向き判別部１２７により、装置本体１０１の向きが適切か否かが判別され（ステップＳ４）、向きが適切でないと判別された場合、制御部１３３によりスピーカ駆動部１２４が制御され、スピーカ１０７から警告音が発せられる（ステップＳ５）。
【００５３】
この場合の警告音は、ブザー音のように大音量ではなく利用者が聞き取れる程度の音量であればよい。また、警告音は電子音のようなものであってもよいが、これ以外にメロディや音声であってもよい。
【００５４】
これに対し、向きが適切であると判別された場合、制御部１３３によりカメラ駆動部１２３が制御され、カメラ１０６によって撮影された画像が画像処理部１３１に出力される。このとき、画像処理部１３１により、防犯管理センターに送信される形式がパケット方式である場合は、パケットデータの様式に合うように画像処理が行われる（ステップＳ６）。
【００５５】
この場合、処理される画像は上述したように、動画であってもよいし、静止画であってもよい。ただし静止画の場合は、周囲の状況変化が分かるように、数秒毎の間欠画像であることが好ましい。
【００５６】
また、制御部１３３によりマイク駆動部１２５が制御され、マイク１０８からの音声が音声処理部１３２に出力される。このとき、音声処理部１３２により、防犯管理センターに送信される形式がパケット方式である場合は、パケットデータの様式に合うように音声処理が行われる（ステップＳ７）。
【００５７】
また、制御部１３３により、画像処理部１３１によって処理された画像データと、音声処理部１３２によって処理された音声データとに、ＧＰＳ受信部１２２から得られる現在位置の情報と、メモリ１２９に記憶されている装置ＩＤとが付加され（ステップＳ８）、送受信部１２１から送受信アンテナ１０４を介して送信される（ステップＳ９）。
【００５８】
以上のような処理は、移動判別部１２６により、装置本体１０１が移動中であると判別されているときに継続されるため、送受信部１２１からは、絶えず、画像及び音声と、現在位置の情報と、装置ＩＤとが防犯管理センターに送信されることになる。
【００５９】
次いで、図４に示すように、スイッチオン検知部１２８により、防犯スイッチ１０９が操作されたことが検知されると（ステップＳ１０）、制御部１３３により、スピーカ駆動部１２４が制御され、スピーカ１０７から大音量のブザー音が発せられる（ステップＳ１１）。
【００６０】
なお、上述したように、防犯スイッチ１０９の代わりに、係止具１０３が装置本体１０１に対し着脱自在に取り付けられている場合は、係止具１０３が装置本体１０１から外れたとき、同様に、スピーカ１０７から大音量のブザー音が発せられるように制御される。
【００６１】
また、スイッチオン検知部１２８により、防犯スイッチ１０９が操作されたことが検知されると、制御部１３３により、防犯スイッチ１０９の操作が有ったことを示す信号が防犯管理センター側に送信される（ステップＳ１２）。
【００６２】
これにより、防犯管理センター側では、上述したように、防犯装置１００の利用者側に被害が発生したことを即座に判断することができ、防犯装置１００からの画像及び／又は音声を記憶することができる。
【００６３】
なお、画像及び／又は音声の記憶に際しては、上述したように、防犯スイッチ１０９の操作が有ったことを示す信号を受け取った時点から所定時間さかのぼった時間分であってもよいし、防犯スイッチ１０９の操作が有ったことを示す信号を受け取った時点を跨いた時間分であってもよい。
【００６４】
また、防犯管理センター側では、上述したように、その画像及び／又は音声を確認することで、緊急であるかどうかの確認が行えるため、緊急の場合には警察に通報することができる。また、上述したように、その画像及び／又は音声が防犯管理センター側で記憶されているため、後の証拠として提出することができる。
【００６５】
この間、スピーカ１０７から大音量のブザー音が鳴り続け、防犯装置１００側ではそのブザー音を停止することができないが、制御部１３３により防犯管理センター側からの停止信号が受け取られると、スピーカ駆動部１２４が制御されてブザー音が停止される（ステップＳ１４）。
【００６６】
このように、本実施例では、画像取得手段としてのカメラ１０６及び音声取得手段としてのマイク１０８により、周囲の画像と周囲の音声とが取り込まれると、制御手段としての制御部１３３により、取り込まれた画像及び／又は音声が防犯管理センターに送信されるように制御されるとともに、操作手段としての防犯スイッチ１０９によりブザー音を発生させる操作が行われると、制御部１３３により、音発生手段としてのスピーカ１０７からブザー音が発生されることで、ブザー音による防犯効果が得られるとともに、防犯管理センター側では画像及び／又は音声から非常事態を的確に判断することができ、さらにその画像及び／又は音声から警察への情報提供を被害者に加え犯人に関わるものとすることができる。
【００６７】
また、本実施例では、制御部１３３がＧＰＳ信号受信手段としてのＧＰＳアンテナ１０５からのＧＰＳ信号を受け取ると、防犯管理センターに送信される画像及び／又は音声に、ＧＰＳ信号によって得られる現在位置の情報を付加するようにしたので、防犯管理センター側では防犯装置１００の利用者の位置を判別することができる。
【００６８】
また、本実施例では、制御部１３３が防犯管理センターに送信される画像及び／又は音声に、記憶手段としてのメモリ１２９に記憶されている装置ＩＤを付加するようにしたので、防犯管理センター側ではその装置ＩＤから防犯装置１００の利用者を特定することができる。
【００６９】
また、本実施例では、制御部１３３が移動検知手段としての移動検知センサ１１０による検知結果に応じてバッテリからの電力供給を制御するようにしたので、防犯装置１００が携帯されていないときにバッテリ１３０の電力消費を抑えることができる。
【００７０】
また、本実施例では、制御部１３３が向き検知手段としての向き検知センサ１１１による検知結果が適切でない場合はスピーカ１０７から警告音が発生されるように制御するようにしたので、移動中等にカメラ１０６の向きが体側に向けられてしまい、周囲の画像を撮影できなくなってしまった場合、利用者に対して警告を促すことができる。
【００７１】
また、本実施例では、制御部１３３が防犯管理センター側からの停止信号を受け取ると、スピーカ１０７からのブザー音の発生を停止させるように制御するようにしたので、防犯装置１００側での操作によりブザー音を停止することができないため、犯罪者に対しての抑止効果が高められる。
【００７２】
また、本実施例では、制御部１３３が防犯管理センター側からの音声信号を受け取ると、スピーカ１０７から音声が発せられるように制御するようにしたので、防犯装置１００の利用者が被害に遭遇しているときに、防犯管理センター側からの音声により犯罪者に対して警告を促すことが可能となる。
【００７３】
また、本実施例では、制御部１３３が防犯スイッチ１０９が操作されると、その操作が有ったことを示す信号を防犯管理センターに送信されるように制御するようにしたので、防犯管理センター側では、防犯装置１００の利用者側に被害が発生したことを即座に判断することができ、防犯装置１００からの画像及び／又は音声を記憶することができる。
【図面の簡単な説明】
【００７４】
【図１】本発明の防犯装置の一実施例に係る概要を説明するための図である。
【図２】図１の防犯装置の制御系の詳細を説明するためのブロック図である。
【図３】図１の防犯装置による防犯方法について説明するためのフローチャートである。
【図４】図１の防犯装置による防犯方法について説明するためのフローチャートである。
【符号の説明】
【００７５】
１００  防犯装置
１０１  装置本体
１０２  紐
１０３  係止具
１０４  送受信アンテナ
１０５  ＧＰＳアンテナ（ＧＰＳ信号受信手段）
１０６  カメラ（画像取得手段）
１０７  スピーカ（音発生手段）
１０８  マイク（音声取得手段）
１０９  防犯スイッチ（操作手段）
１１０  移動検知センサ（移動検知手段）
１１１  向き検知センサ（向き検知手段）
１２０  制御系
１２１  送受信部
１２２  ＧＰＳ受信部
１２３  カメラ駆動部
１２４  スピーカ駆動部
１２５  マイク駆動部
１２６  移動判別部
１２７  向き判別部
１２８  スイッチオン検知部
１２９  メモリ（記憶手段）
１３０  バッテリ
１３１  画像処理部
１３２  音声処理部
１３３  制御部（制御手段）
【図１】
2007188156.tif 000003
【図２】
2007188156.tif 000004
【図３】
2007188156.tif 000005
【図４】
2007188156.tif 000006